(57)【要約】【課題】部品点数が少ないとともに、絡み合った線状固形物（主に毛髪）を手で持たなくても容易に取り除くことができるヘアーキャッチャーを提供することを目的としている。【解決手段】排水口に装着されるヘアーキャッチャーにおいて、前記排水口への排水流入口を有する本体部材と、排水流入口から排水口への固形物の流入を阻止するように配置される多数の櫛歯と、これらの櫛歯の一端を支持する櫛歯支持部とを有する櫛状部材とを備え、この櫛状部材は、各櫛歯が、本体部材に設けられたガイド用孔またはガイド用切欠内に嵌り込み、櫛歯の壁面がガイド用孔またはガイド用切欠の内壁面によってガイドされながら前記固形物の流入阻止位置から各櫛歯の先端がガイド用孔またはガイド用切欠の端面に一致する位置までスライド自在に本体部材に支持されていることを特徴としている。【選択図】      図１
2009052226.tif 000002
【特許請求の範囲】
【請求項１】
排水口に装着されるヘアーキャッチャーにおいて、
前記排水口への排水流入口を有する本体部材と、排水流入口から排水口への固形物の流入を阻止するように配置される多数の櫛歯と、これらの櫛歯の一端を支持する櫛歯支持部とを有する櫛状部材とを備え、この櫛状部材は、各櫛歯が、本体部材に設けられたガイド用孔またはガイド用切欠内に嵌り込み、櫛歯の壁面がガイド用孔またはガイド用切欠の内壁面によってガイドされながら前記固形物の流入阻止位置から各櫛歯の先端がガイド用孔またはガイド用切欠の端面に一致する位置までスライド自在に本体部材に支持されていることを特徴とするヘアーキャッチャー。
【請求項２】
各櫛歯が、半円弧形状をするとともに、櫛歯の半円弧の中心が一軸上に間隔をおいて並ぶように配置され、ガイド用孔またはガイド用切欠が排水流入口の中心軸を挟んだ一方の排水流入口周縁に穿設されており、櫛状部材が前記櫛歯の半円弧の中心が並ぶ一軸を中心に回転するように本体部材に支持されている請求項１に記載のヘアーキャッチャー。
【請求項３】
櫛歯が排水流入口を囲むように垂直方向に平行に林立されている請求項１に記載のヘアーキャッチャー。
【請求項４】
本体部材は、その側壁面の一部が排水口の内壁面に沿うように形成され、本体部材の側壁面の残部が本体部材の内側に向かって凹んでいるとともに、この凹み部に排水流入口まで達するガイド用孔またはガイド用切欠が穿設され、かつ、櫛状部材は、櫛歯を固形物の流入阻止位置までスライドさせた状態で、櫛歯支持部が前記凹み部に嵌り込むとともに、櫛歯支持部の壁面が排水口の内壁面に沿うように形成されている請求項１に記載のヘアーキャッチャー。
【請求項５】
櫛状部材が、一端が本体部材に回転自在に枢支された櫛歯支持部と、この櫛歯支持部の枢支軸を中心として同心円状に設けられた多数の円弧状をした櫛歯とを備えている請求項４に記載のヘアーキャッチャー。
【請求項６】
排水口に装着されるヘアーキャッチャーにおいて、
円形をした前記排水口への排水流入口を有し、この排水流入口が複数の仕切り部によって扇形をした複数の区画に分割されているとともに、各区画の扇形の中心角より小さい中心角を有する円弧状をして排水流入口から排水口への固形物の流入を阻止する複数の櫛歯が、各仕切り部の一方の側壁面から隣接する仕切り部の他方の側壁面に向かって前記排水流入口の中心と同一中心を有する同心円上に並設された本体部材と、
前記排水流入口の中心を中心にして、本体部材の上面または下面に沿って回転自在で、前記本体部材の櫛歯の中心角より小さく、前記区画の櫛歯非形成部の扇形の中心角より大きい中心角を有し、各櫛歯非形成部を上面側または下面側から開閉自在に覆う扇形回転蓋部が設けられた蓋部材とを備え、
この蓋部材が、各櫛歯に対応する位置に櫛歯が入り込むガイド用孔またはガイド用切欠が穿設され、蓋部材の回転に伴い、前記ガイド用孔またはガイド用切欠の周縁部で櫛歯に付着した固形物を櫛歯の開放端へ押し出す壁を扇形回転蓋部の櫛歯側の面に有することを特徴とするヘアーキャッチャー。
【発明の詳細な説明】
【技術分野】
【０００１】
本発明は、浴室洗い場やシャワー室等の排水口に装着され、排水口への毛髪等の流入を防止するヘアーキャッチャーに関する。
【背景技術】
【０００２】
配管の詰りなどを防止するため、浴室洗い場やシャワー室の排水口には、一般に網目状のヘアーキャッチ部を有するヘアーキャッチャーが設けられている。
このヘアーキャッチャーは、ヘアーキャッチ部の目詰まりを防止するため、時折、清掃する必要がある。
【０００３】
しかし、従来のヘアーキャッチャーの場合、ヘアーキャッチ部に捕捉された毛髪や糸屑等の線状固形物が、互いに絡み合うとともに、ヘアーキャッチ部の網目部分にも絡んでいることが多いため、容易に取り除くことができないとともに、線状固形物を直接引っ張って取り除く必要がある。
【０００４】
そこで、浴槽排水の流入口が側面に設けられ、内部に上方の排水枡から垂設された防臭筒が配置されている排水トラップにおいて、前記排水枡にはヘアーキャッチャーが設置され、前記流入口は排水トラップの内周面方向に指向して開口され、該流入口から流入される浴槽排水で内部に渦流を発生させ、該渦流が前記防臭筒内を前記ヘアーキャッチャー上まで上昇するように構成し、防臭筒内を上昇する渦流により、排水枡やヘアーキャッチャーにへばり付いた線状固形物を剥がして中央へひとまとめにすることで線状固形物を除去しやすくした排水トラップ（特許文献１参照）や、縦方向櫛状の縦方向櫛部材と横方向櫛状の横方向櫛部材で構成されて排水中の毛髪を捕集し得るヘアーキャッチャーであって、前記縦方向櫛部材と横方向櫛部材の少なくとも一方には、線状固形物を除去するための櫛のバーを貫通させる複数の孔を有する可動式押出し部材が取り付けられ、櫛部材に沿って可動式の押出し部材をスライド移動させることで、櫛部材に絡み付いた毛髪を確実に除去することができ、毛髪に触れることなく除去作業を良好に行なうようにしたヘアーキャッチャー（特許文献２参照）が提案されている。
【０００５】
しかし、上記排水トラップの場合、線状固形物が一旦絡み合うと、上記のような渦流では絡みが解消されず、完全な解決には至っていない。
一方、上記ヘアーキャッチャーの場合、縦方向櫛部材と横方向櫛部材とにまたがって毛髪が絡みついた場合には、可動式押出部材では線状固形物を取り除くことが出来ないという問題、縦方向櫛部材および横方向櫛部材を構成する各櫛が平面的に配置されているため、除去するための可動式押出部材は櫛に沿って真っ直ぐ動かす必要があるが、真っ直ぐ動かす為のガイドが無く困難であるという問題、部品点数が多いという問題等がある。
【０００６】
【特許文献１】特開２００７−１２００４１号公報
【特許文献２】特開２００７−４６４２２号公報
【発明の開示】
【発明が解決しようとする課題】
【０００７】
本発明は、上記事情に鑑みて、部品点数が少ないとともに、絡み合った線状固形物（主に毛髪）を手で持たなくても容易に取り除くことができるヘアーキャッチャーを提供することを目的としている。
【課題を解決するための手段】
【０００８】
上記目的を達成するために、本発明の請求項１に記載のヘアーキャッチャー（以下、「請求項１のヘアーキャッチャー」と記す）は、排水口に装着されるヘアーキャッチャーにおいて、前記排水口への排水流入口を有する本体部材と、排水流入口から排水口への固形物の流入を阻止するように配置される多数の櫛歯と、これらの櫛歯の一端を支持する櫛歯支持部とを有する櫛状部材とを備え、この櫛状部材は、各櫛歯が、本体部材に設けられたガイド用孔またはガイド用切欠内に嵌り込み、櫛歯の壁面がガイド用孔またはガイド用切欠の内壁面によってガイドされながら前記固形物の流入阻止位置から各櫛歯の先端がガイド用孔またはガイド用切欠の端面に一致する位置までスライド自在に本体部材に支持されていることを特徴としている。
【０００９】
本発明の請求項２に記載のヘアーキャッチャー（以下、「請求項２のヘアーキャッチャー」と記す）は、請求項１のヘアーキャッチャーにおいて、各櫛歯が、半円弧形状をするとともに、櫛歯の半円弧の中心が一軸上に間隔をおいて並ぶように配置され、ガイド用孔またはガイド用切欠が排水流入口の中心軸を挟んだ一方の排水流入口周縁に穿設されており、櫛状部材が前記櫛歯の半円弧の中心が並ぶ一軸を中心に回転するように本体部材に支持されていることを特徴としている。
【００１０】
本発明の請求項３に記載のヘアーキャッチャー（以下、「請求項３のヘアーキャッチャー」と記す）は、請求項１のヘアーキャッチャーにおいて、櫛歯が排水流入口を囲むように垂直方向に平行に林立されていることを特徴としている。
【００１１】
本発明の請求項４に記載のヘアーキャッチャー（以下、「請求項４のヘアーキャッチャー」と記す）は、請求項１のヘアーキャッチャーにおいて、本体部材は、その側壁面の一部が排水口の内壁面に沿うように形成され、本体部材の側壁面の残部が本体部材の内側に向かって凹んでいるとともに、この凹み部に排水流入口まで達するガイド用孔またはガイド用切欠が穿設され、かつ、櫛状部材は、櫛歯を固形物の流入阻止位置までスライドさせた状態で、櫛歯支持部が前記凹み部に嵌り込むとともに、櫛歯支持部の壁面が排水口の内壁面に沿うように形成されていることを特徴としている。
【００１２】
本発明の請求項５に記載のヘアーキャッチャー（以下、「請求項５のヘアーキャッチャー」と記す）は、請求項４のヘアーキャッチャーにおいて、櫛状部材が、一端が本体部材に回転自在に枢支された櫛歯支持部と、この櫛歯支持部の枢支軸を中心として同心円状に設けられた多数の円弧状をした櫛歯とを備えていることを特徴としている。
【００１３】
本発明の請求項６に記載のヘアーキャッチャー（以下、「請求項６のヘアーキャッチャー」と記す）は、円形をした前記排水口への排水流入口を有し、この排水流入口が複数の仕切り部によって扇形をした複数の区画に分割されているとともに、各区画の扇形の中心角より小さい中心角を有する円弧状をして排水流入口から排水口への固形物の流入を阻止する複数の櫛歯が、各仕切り部の一方の側壁面から隣接する仕切り部の他方の側壁面に向かって前記排水流入口の中心と同一中心を有する同心円上に並設された本体部材と、前記排水流入口の中心を中心にして、本体部材の上面または下面に沿って回転自在で、前記本体部材の櫛歯の中心角より小さく、前記区画の櫛歯非形成部の扇形の中心角より大きい中心角を有し、各櫛歯非形成部を上面側または下面側から開閉自在に覆う扇形回転蓋部が設けられた蓋部材とを備え、この蓋部材が、各櫛歯に対応する位置に櫛歯が入り込むガイド用孔またはガイド用切欠が穿設され、蓋部材の回転に伴い、前記ガイド用孔またはガイド用切欠の周縁部で櫛歯に付着した固形物を櫛歯の開放端へ押し出す壁を扇形回転蓋部の櫛歯側の面に有することを特徴としている。
【００１４】
本発明において、固形物とは、主に毛髪であるが、糸くずや他のごみも含まれる。
ヘアーキャッチャーの材質は、特に限定されないが、生産性を考慮すると、樹脂が好ましい。
また、ヘアーキャッチャーに用いる樹脂としては、耐薬品・耐熱性に優れたものが好ましく、たとえば、ＰＰ（ポリプロピレン）・ＡＢＳ樹脂（アクリロニトリル−ブタジエン−スチレン共重合体）・ＰＯＭ(ポリオキシメチレン)が挙げられる。
【００１５】
櫛歯と櫛歯の間隔は、できるだけ狭い方が好ましいが、目詰まり等を考慮すると、２〜４ｍｍ程度が好ましい。
櫛歯の太さは、排水流量を多くする必要があるため、できるだけ細い方が好ましいが、強度面を考慮すると、上記のような樹脂製のものにおいては、幅２〜３ｍｍ程度、厚み２〜５ｍｍ程度とすることが好ましい。
【発明の効果】
【００１６】
本発明の請求項１のヘアーキャッチャーは、以上のように、排水口に装着されるヘアーキャッチャーにおいて、前記排水口への排水流入口を有する本体部材と、排水流入口から排水口への固形物の流入を阻止するように配置される多数の櫛歯と、これらの櫛歯の一端を支持する櫛歯支持部とを有する櫛状部材とを備え、この櫛状部材は、各櫛歯が、本体部材に設けられたガイド用孔またはガイド用切欠内に嵌り込み、櫛歯の壁面がガイド用孔またはガイド用切欠の内壁面によってガイドされながら前記固形物の流入阻止位置から各櫛歯の先端がガイド用孔またはガイド用切欠の端面に一致する位置までスライド自在に本体部材に支持されているので、櫛歯に毛髪等の線状固形物（以下、「毛髪等」と記す）が引っかかって絡みあっていても、各櫛歯の先端がガイド用孔またはガイド用切欠の端面に略一致するまで櫛状部材の櫛歯をガイド用孔またはガイド用切欠に沿ってスライドさせれば、櫛歯に絡みついた毛髪等は、ガイド用孔またはガイド用切欠の端面に当たり、櫛歯に沿って櫛歯の先端方向に移動し、最終的に櫛歯から抜け落ちる。したがって、櫛歯がガイド用孔またはガイド用切欠に沿ってスムーズにガイドされながらスライドし、毛髪等を手で持つことなく、容易に櫛歯から取り除ける。また、本体部材と櫛歯部材とからなるので、部品点数も少ない。
【００１７】
また、請求項２のヘアーキャッチャーは、請求項１のヘアーキャッチャーにおいて、  各櫛歯が、半円弧形状をするとともに、櫛歯の半円弧の中心が一軸上に間隔をおいて並ぶように配置され、ガイド用孔またはガイド用切欠が排水流入口の中心軸を挟んだ一方の排水流入口周縁に穿設されており、櫛状部材が前記櫛歯の半円弧の中心が並ぶ一軸を中心に回転するように本体部材に支持されているので、櫛歯の先端がガイド用孔またはガイド用切欠の端面に略一致するまで櫛状部材を回転させると、排水流入口が櫛状部材によって下側から受けられたようになる。したがって、櫛状部材の回転に伴って櫛歯の先端まで移動した毛髪等が櫛歯から外れて排水流入口内に落ち込んでも、櫛状部材に受けられて落下することがない。
【００１８】
請求項３のヘアーキャッチャーは、請求項１のヘアーキャッチャーにおいて、櫛歯が排水流入口を囲むように垂直方向に平行に林立されているので、ガイド用孔またはガイド用切欠への櫛歯の挿入が容易である。したがって、生産性に優れている。
【００１９】
請求項４のヘアーキャッチャーは、請求項１のヘアーキャッチャーにおいて、本体部材は、その側壁面の一部が排水口の内壁面に沿うように形成され、本体部材の側壁面の残部が本体部材の内側に向かって凹んでいるとともに、この凹み部に排水流入口まで達するガイド用孔またはガイド用切欠が穿設され、かつ、櫛状部材は、櫛歯を固形物の流入阻止位置までスライドさせた状態で、櫛歯支持部が前記凹み部に嵌り込むとともに、櫛歯支持部の壁面が排水口の内壁面に沿うように形成されているので、櫛歯が平面的に配置され、ヘアーキャッチャーの厚みを薄く抑えることができるとともに、排水口にはめ込むことで排水口内壁面によって櫛状部材のスライドが抑止され、排水口に正確にセットされていれば、櫛歯がズレ動くことがなく、確実に毛髪等を排水中から取り除くことができる。
【００２０】
請求項５のヘアーキャッチャーは、請求項４のヘアーキャッチャーにおいて、櫛状部材が、一端が本体部材に回転自在に枢支された櫛歯支持部と、この櫛歯支持部の枢支軸を中心として同心円状に設けられた多数の円弧状をした櫛歯とを備えているので、櫛歯がガイド用孔から完全に離脱しても、枢支軸を中心に回転させれば、容易に櫛歯がガイド用孔へ挿通できる。
【００２１】
請求項６のヘアーキャッチャーは、排水口に装着されるヘアーキャッチャーにおいて、
円形をした前記排水口への排水流入口を有し、この排水流入口が複数の仕切り部によって扇形をした複数の区画に分割されているとともに、各区画の扇形の中心角より小さい中心角を有する円弧状をして排水流入口から排水口への固形物の流入を阻止する複数の櫛歯が、各仕切り部の一方の側壁面から隣接する仕切り部の他方の側壁面に向かって前記排水流入口の中心と同一中心を有する同心円上に並設された本体部材と、前記排水流入口の中心を中心にして、本体部材の上面または下面に沿って回転自在で、前記本体部材の櫛歯の中心角より小さく、前記区画の櫛歯非形成部の扇形の中心角より大きい中心角を有し、各櫛歯非形成部を上面側または下面側から開閉自在に覆う扇形回転蓋部が設けられた蓋部材とを備え、この蓋部材が、各櫛歯に対応する位置に櫛歯が入り込むガイド用孔またはガイド用切欠が穿設され、蓋部材の回転に伴い、前記ガイド用孔またはガイド用切欠の周縁部で櫛歯に付着した固形物を櫛歯の開放端へ押し出す壁を扇形回転蓋部の櫛歯側の面に有するので、蓋部材を櫛歯の仕切り部側基端から櫛歯の先端に向かう方向に回転させれば、扇形蓋部の回転に伴い櫛歯に絡みついた毛髪が壁のガイド用孔またはガイド用切欠の周縁部によって櫛歯先端方向に押され、最終的に櫛歯先端から押し出される。したがって、毛髪を手で持つことなく、容易に櫛歯から取り除ける。また、本体部材と櫛歯部材とからなるので、部品点数も少ない。
【発明を実施するための最良の形態】
【００２２】
以下に、本発明を、その実施の形態をあらわす図面を参照しつつ詳しく説明する。
図１〜図７は、本発明にかかるヘアーキャッチャーの第１の実施の形態をあらわしている。
【００２３】
図１〜図４に示すように、このヘアーキャッチャー１ａは、ＰＰ、ＡＢＳ、ＰＯＭ等で成形された本体部材２ａと、櫛状部材３ａとを備えている。
本体部材２ａは、洗い場パン４に設けられた排水口４１に嵌り込む大きさをしているとともに、中央に対向して設けられた一対の直線部２１ａと、対抗して設けられた一対の弧状をした湾曲部２１ｂ，２１ｃとを備える太鼓あるいはビア樽の断面形状をした排水流入口２１を備えている。
【００２４】
本体部材２ａの下面側には、排水流入口２１まで達する一対の軸受け凹部２２が排水流入口２１の中心軸Ｃ上の対称位置に穿設されている。
排水流入口２１の一方の湾曲部２１ｂ周縁には、後述する櫛状部材３ａの櫛歯３１のガイド用孔２３が櫛歯３１と同じピッチで櫛歯３１と同数上下に貫通して設けられている。
【００２５】
また、本体部材２ａのガイド用孔２３が設けられた側の側面および下面にわたり、後述する櫛状部材３ａの操作レバー３４のレバー基部３４ａが嵌り込む断面略L字形をしたレバー収容溝２４が穿設されている。
本体部材２ａの側面には、レバー収容溝２４を除く部分に、ねじ溝２５が設けられている。
排水流入口２１の他方の湾曲部２１ｃの端縁部上面は、図４に示すように、周囲より段状に切り欠かれて、櫛歯３１の先端を受ける櫛歯受け部２６となっている。
【００２６】
櫛状部材３ａは、対面して設けられた半円形をした側面板３２と、２つの側面板３２を連結する弧状をした櫛歯支持部３３と、この櫛歯支持部３３から平行に延出する半円弧状をした多数の櫛歯３１と、操作レバー３４とを備えている。
側面板３２の半円の中心には、前述の軸受け凹部２２に回転自在に嵌り込む回転軸３５が外側に向かって突設されている。
【００２７】
各櫛歯３１は、前述のガイド用孔２３と同じピッチで同数設けられ、前記回転軸３５の軸線を中心とする半円弧状に形成されているとともに、ガイド用孔２３と略同じか、少し小さい断面形状を備えている。
【００２８】
操作レバー３４は、断面略Ｌ字形をしたレバー基部３４ａと、このレバー基部３４ａのL字の一方の辺の先端から他方の辺と逆方向に延出する摘み部３４ｂとを備えている。
レバー基部３４ａには、本体部材２ａのレバー収容部２４に嵌り込んだとき、本体部材２ａのねじ溝２５に連続するねじ溝３４ｃが穿設されている。
【００２９】
そして、このヘアーキャッチャー１ａは、櫛状部材３ａが各櫛歯３１の先端を本体部材２ａの下面側から対応するガイド用孔２３に臨ませるとともに、回転軸３５を軸受け凹部２２内に嵌め込んだ状態で櫛歯３１の先端を先頭にして回転軸３５を中心に回転させることによって本体部材２ａと一体に組み立てられている。
【００３０】
このヘアーキャッチャー１ａは、上記のようになっており、図４（ａ）、図５および図６に示すように、レバー基部３４ａがレバー収容溝２４内に嵌り込むとともに、図６に示すように、本体部材２ａの側面に設けられたねじ溝２５およびレバー基部３４ａのねじ溝３４ｃと排水口４１の内周面に設けられた雄ねじ４１ａとが螺合することによって、浮き上がりを防止した状態で排水口４１にセットされる。なお、図６中、５は排水トラップである。
【００３１】
すなわち、この状態では、排水流入口２１の上面が櫛歯３１と櫛歯３１との隙間を残して櫛歯３１によって覆われた状態になっている。
したがって、洗い場パン４上に流れ落ちた湯や水は、櫛歯３１と櫛歯３１との隙間を通って排水流入口２１から排水口４１へと流れ込む。そして、湯や水に混入した毛髪等は、櫛歯３１に引っかかり、排水流入口２１へ流れ込まない。
【００３２】
一方、櫛歯３１に引っかかって、他の毛髪等と絡みついた毛髪等は、以下のようにして取り除くことができる。
すなわち、排水口４１の蓋４２を取り除き、ヘアーキャッチャー１ａを排水口４１から取り外したのち、操作レバー３４の摘み部３４ｂを持ち、櫛状部材３ａを櫛歯３１の先端がガイド用孔２３の端面にほぼ一致するまで回転させると、櫛歯３１に絡みついた毛髪等が、回転に伴ってガイド用孔２３の端面で櫛歯３１の先端方向に移動し、最終的の櫛歯３１の先端から押し出され、最終的にガイド用孔２３の端面部分に溜まる。
【００３３】
そして、たとえば、ごみ箱やごみ袋等の上で本体部材２ａの上下を反転させれば、ガイド用孔２３の端面部分に貯まった毛髪等がごみ箱やごみ袋内におさまる。
すなわち、毛髪等に直接手を触れることなく、櫛歯３１に絡みついた毛髪等を容易に除去することができる。
【００３４】
また、櫛状部材３ａを櫛歯３１の先端がガイド用孔２３の端面にほぼ一致するまで回転させた状態では、排水流入口２１を下方から櫛歯３１で受けるようになるため、本体部材２ａを反転させる前にガイド用孔２３の端面に貯まった毛髪等が排水流入口２１内の落ち込んでも、櫛歯３１によって受けられ、床面等に零れ落ちたりすることがない。
さらに、このヘアーキャッチャー１ａは、本体部材２ａと櫛状部材３ａの二つの部材を組み立てるだけで得られ、部品点数が少なく、生産性に優れている。
【００３５】
図７は、本発明にかかるヘアーキャッチャーの第２の実施の形態をあらわしている。
図７に示すように、このヘアーキャッチャー１ｂは、本体部材２ｂと、櫛状部材３ｂとを備えている。
【００３６】
本体部材２ｂは、中央に円形の排水流入口２７ａを備え、排水流入口２７ａの周囲に全周にわたって、等ピッチで同じ大きさの多数のガイド用孔２７ｂが上下方向に垂直に穿設されている以外は、上記ヘアーキャッチャー１ａの本体部材２ａと同様になっている。
【００３７】
櫛状部材３ｂは、リング状をした櫛歯支持部３６ａと、この櫛歯支持部３６ａのリングの中心軸に平行かつガイド用孔２７ｂと等ピッチに櫛歯支持部３６ａから林立するガイド用孔２７ｂと同数の櫛歯３６ｂとを備えている。
また、櫛状部材３ｂは、櫛歯３６ｂを本体部材２ｂの下面側から対応するガイド用孔２７ｂに挿通され、櫛歯３６ｂがガイド用孔２７ｂに沿ってスライド自在に本体部材２ｂに支持されている。
【００３８】
このヘアーキャッチャー１ｂは、図７（ａ）に示すように、櫛歯３６ｂの先端を上にして排水口（図示せず）に装着され、洗い場から排水口に流れ込もうとする湯や水は櫛歯３６ｂと櫛歯３６ｂとの隙間から排水流入口２７ａを通り排水口に流入し排水され、湯や水とともに流れる毛髪等は櫛歯３６ｂに引っかかる。
【００３９】
一方、櫛歯３６ｂに引っかかって、他の毛髪等と絡みついた毛髪等は、上記ヘアーキャッチャー１ａと同様に、排水口の蓋を取り除き、ヘアーキャッチャー１ｂを排水口から取り外し、図７（ｂ）、（ｃ）に示すように、ヘアーキャッチャー１ｂの上下を反転させるとともに、櫛歯支持部３６ａを持ち、櫛歯３６ｂの先端がガイド用孔２７ｂの端面に略一致するまで、櫛歯３６ｂをガイド用孔２７ｂに沿ってスライドさせることによって容易に除去できる。すなわち、櫛歯３６ｂの先端方向へのスライドに伴って、絡みついた毛髪等がガイド用孔２７ｂの端面で押され、櫛歯３６ｂの先端方向に移動し、最終的の櫛歯３６ｂの先端から押し出され、下側で受けられたごみ箱やごみ袋内に落下する。
【００４０】
また、このヘアーキャッチャー１ｂは、以上のようになっており、上記ヘアーキャッチャー１ａと同様に、部品点数が少ないとともに、ガイド用孔への櫛歯の挿入が容易である。したがって、生産性に優れている。
【００４１】
図８は、本発明にかかるヘアーキャッチャーの第３の実施の形態をあらわしている。
図８に示すように、このヘアーキャッチャー１ｃは、本体部材２ｃと、櫛状部材３ｃとを備えている。
【００４２】
本体部材２ｃは、中央に円形の開口２８ａを有する円盤部２８ｂと、円盤部２８ｂの上面で前記開口２８ａの周囲に沿って上面に設けられた半円筒部２８ｃと、開口２８ａより少し大きく開口２８ａを上方から覆うように配置される天板部２８ｄとを備えている。
【００４３】
円盤部２８ｂは、後述するガイド用孔２８ｅの直下に櫛歯３７ｂの先端が嵌り込む穴２８ｆが穿設されているとともに、側面にねじ溝が穿設されている。
天板部２８ｄは、半円筒部２８ｃが設けられていない側の周縁に沿って多数のガイド用孔２８ｅが半円形に並んだ状態で穿設されている。
【００４４】
櫛状部材３ｃは、半円盤状をした櫛歯支持部３７ａと、この櫛歯支持部３７ａの半円形の周縁に沿ってガイド用孔２８ｅと略同じ断面形状をした櫛歯３７ｂがガイド用孔２８ｅと等ピッチで林立している。
櫛歯３７ｂがガイド用孔２８ｅに沿って上下にスライドし、櫛歯支持部３７ａが天板部２８ｄに受けられた状態で、櫛歯３７ｂの先端が穴２８ｆに嵌り込むようになっている。
【００４５】
このヘアーキャッチャー１ｃは、以上のようになっているので、洗い場から排水口に流れ込もうとする湯や水は櫛歯３７ｂと櫛歯３７ｂとの隙間から排水流入口２７ａを通り排水口に流入し排水され、湯や水とともに流れる毛髪等は櫛歯３７ｂに引っかかる。
【００４６】
一方、櫛歯３７ｂに引っかかって、他の毛髪等と絡みついた毛髪等は、上記ヘアーキャッチャー１ａと同様に、排水口の蓋を取り除き、ヘアーキャッチャー１ｃを排水口から取り外し、櫛歯支持部３７ａを持ち、櫛歯３７ｂの先端がガイド用孔２８ｅの端面に略一致するまで、櫛歯３７ｂをガイド用孔２８ｅに沿ってスライドさせることによって容易に除去できる。すなわち、櫛歯３７ｂの先端方向へのスライドに伴って、絡みついた毛髪等がガイド用孔２８ｅの端面で押され、櫛歯３７ｂの先端方向に移動し、最終的に櫛歯３７ｂの先端から押し出され、下側で受けられたごみ箱やごみ袋内に落下する。
【００４７】
図９は、本発明にかかるヘアーキャッチャーの第４の実施の形態をあらわしている。
図９に示すように、このヘアーキャッチャー１ｄは、本体部材２ｄと、櫛状部材３ｄとを備えている。
【００４８】
本体部材２ｄは、中央に排水流入口２９ａを備え、その側壁面の一部２９ｂが排水口４３の内壁面に沿うように形成されているとともに、本体部材２ｄの側壁面の残部が本体部材の内側に向かって凹んだ凹み部２９ｃとなっている。
この凹み部２９ｃには、排水流入口２９ａまで達するガイド用孔２９ｄが穿設されている。
【００４９】
櫛状部材３ｄは、一端が本体部材２ｄに回転自在に枢支された櫛歯支持部３８ａと、この櫛歯支持部３８ａの枢支軸３８ｂを中心として同心円状に設けられた多数の円弧状をした櫛歯３８ｃとを備えている。
そして、櫛歯支持部３８ａは、櫛歯３８ｃを流入阻止位置までスライドさせた状態で、凹み部２９ｃに嵌り込むとともに、櫛歯支持部３８ａの壁面が排水口４３の内壁面に沿うように形成されている。
【００５０】
このヘアーキャッチャー１ｄは、以上のようになっているので、図９（ａ）に示すように、洗い場から排水口４３に流れ込もうとする湯や水は櫛歯３８ｃと櫛歯３８ｃとの隙間から排水流入口２７ａを通り排水口に流入し排水され、湯や水とともに流れる毛髪等は櫛歯３８ｃに引っかかる。
【００５１】
一方、櫛歯３８ｃに引っかかって、他の毛髪等と絡みついた毛髪等は、上記ヘアーキャッチャー１ａと同様に、排水口４３の蓋を取り除き、ヘアーキャッチャー１ｃを排水口４３から取り外し、櫛歯支持部３８ａを持ち、図９（ｂ）に示すように、櫛歯３８ｃの先端がガイド用孔２９ｄの端面に略一致するまであるいは完全に離脱するまで、櫛歯３７ｂをガイド用孔２８ｅに沿ってスライドさせることによって容易に除去できる。すなわち、櫛歯３８ｃの先端方向へのスライドに伴って、絡みついた毛髪等がガイド用孔２９ｄの端面で押され、櫛歯３８ｃの先端方向に移動し、最終的の櫛歯３８ｃの先端から押し出され、下側で受けられたごみ箱やごみ袋内に落下する。
【００５２】
また、櫛歯３８ｃが平面的に配置されているので、ヘアーキャッチャー１ｄの厚みを薄く抑えることができるとともに、排水口４３にはめ込むことで排水口内壁面によって櫛歯３８ｃのスライドが抑止され、ヘアーキャッチャー１ｄが排水口４３に正確にセットされていれば、櫛歯３８ｃがズレ動くことがなく、確実に毛髪等を排水中から取り除くことができる。
さらに、櫛歯支持部３８ａの一端が本体部材２ｄに枢支されているので、櫛歯３８ｃがガイド用孔２９ｄから完全に離脱しても、櫛歯支持部３８ａを枢支軸３８ｂを中心に回転させれば、容易に櫛歯３８ｃをガイド用孔２９ｄへ挿通できる。
【００５３】
図１０は、本発明にかかるヘアーキャッチャーの第５の実施の形態をあらわしている。
図１０に示すように、このヘアーキャッチャー１ｅは、本体部材２ｅと、蓋部材３ｅとを備えている。
【００５４】
本体部材２ｅは、図１０および図１１（ａ）に示すように、枠部２０ａと、軸受け部２０ｂと、４つの仕切り部２０ｃとを備えている。
軸受け部２０ｂは、枠部２０ａと同じ中心を備えた円形をしていて、中央が後述する蓋部材３ｅの軸受け孔２０ｄになっている。
【００５５】
４つの仕切り部２０ｃは、同じ大きさの扇形をした４つの区画２０ｅを枠部２０ａ内に形成するように、放射状に等ピッチで設けられていて、その軸心は枠部２０ａの中心から少しずれた位置を通っている。
【００５６】
各区画２０ｅは、その扇形の中心角より小さい中心角を有する円弧状をした複数の櫛歯２０ｆが、各仕切り部２０ｂの一方の側壁面から隣接する仕切り部２０ｂの他方の側壁面に向かって枠部２０ａの中心と同一中心を有する同心円上に等ピッチで並設されているとともに、櫛歯２０ｆの先端と他方の仕切り部２０ｂの側壁面との間に各櫛歯非形成部２０ｇを備えている。
【００５７】
蓋部材３ｅは、図１１（ｂ）に示すように、回転中心部３０ａと、４つの扇形回転蓋部３０ｂとを備えている。
回転中心部３０ａは、円盤部３０ｃと、この円盤部３０ｃの上面に突設された摘み部３０ｄと、円盤部３０ｃの下面から突出し、前記軸受け孔２０ｄに軸支される軸ピン３０ｅとを備えている。
扇形回転蓋部３０ｂは、本体部３０ｆと、壁３０ｇとを備えている。
【００５８】
本体部３０ｆは、前記円盤部３０ｃを中心にして等ピッチで放射状に設けられ、本体部材２ｅの櫛歯２０ｆｆの中心角より小さく、各区画２０ｅの櫛歯非形成部２０ｇの扇形の中心角より大きい中心角を有する扇形をしている。
壁３０ｇは、櫛歯２０ｆの断面形状とほぼ同じか少し大径のガイド用孔３０ｈが櫛歯２０ｆと同じピッチで穿設されている。
【００５９】
そして、本体部材２ｅと、蓋部材３ｅとは、蓋部材３ｅの各壁３０ｇ部分を本体部材２ｅの櫛歯非形成部２０ｇ上にそれぞれ配置させた状態で軸ピン３０ｅを軸受け孔２０ｄに嵌め込んだのち、櫛歯２０ｆが各ガイド用孔３０ｈに挿入されるように、摘み部３０ｄを持って蓋部材３ｅを櫛歯２０ｆの先端側から櫛歯２０ｆの基端側に向かって回転させることによって組み立てられる。
【００６０】
このヘアーキャッチャー１ｅは、以上のようになっているので、図１２（ａ）に示すように、蓋部材３ｅの壁３０ｇが櫛歯２０ｆの基端である仕切り部２０ｃに当接するように配置し、蓋部材３ｅの本体部３０ｆが本体部材２ｅの各櫛歯非形成部２０ｇを上面側から覆う位置に配置された状態で排水口に装着すれば、洗い場から排水口に流れ込もうとする湯や水は櫛歯２０ｆと櫛歯２０ｆとの隙間から排水流入口２０ａを通り排水口に流入し排水され、湯や水とともに流れる毛髪等は櫛歯２０ｆに引っかかる。
【００６１】
一方、櫛歯２０ｆに引っかかって、他の毛髪等と絡みついた毛髪等は、上記ヘアーキャッチャー１ａと同様に、排水口の蓋を取り除き、ヘアーキャッチャー１ｅを排水口から取り外し、図１２（ｂ）に示すように、蓋部材３ｅを仕切り部２０ｃ側からこの仕切り部２０ｃから延出する櫛歯２０ｆの先端方向に回転させれば、回転に伴い櫛歯２０ｆに絡みついた毛髪等が壁３０ｇのガイド用孔３０ｈの周縁部で櫛歯２０ｆの先端方向に押され、最終的に櫛歯２０ｆの先端から押し出され、下側で受けられたごみ箱やごみ袋内に落下する。したがって、毛髪等を手で持つことなく、容易に櫛歯２０ｆから取り除ける。
【００６２】
図１３は、本発明にかかるヘアーキャッチャーの第６の実施の形態の蓋部材をあらわしている。
図１３に示すように、このヘアーキャッチャーは、上記ガイド用孔３０ｈに換えて、ガイド用切欠３０ｉが蓋部材３ｆの壁３０ｇの下端に穿設されている以外は、上記ヘアーキャッチャー１ｅと同様になっている。
【００６３】
このヘアーキャッチャーは、上記のようにガイド用孔３０ｈに換えて、壁３０ｇの下端に穿設されたガイド用切欠３０ｉに櫛歯が嵌り込むようになっているので、組立が容易である。
【００６４】
本発明は、上記の実施の形態に限定されない。たとえば、上記の実施の形態では、各櫛歯が等ピッチで設けられていたが、等ピッチでなくても構わない。切欠は、溝状の軸方向に長いものでも構わない。
【図面の簡単な説明】
【００６５】
【図１】本発明にかかるヘアーキャッチャーの第１の実施の形態の斜視図である。
【図２】図１のヘアーキャッチャーの分解斜視図である。
【図３】図１のＸ−Ｘ線断面図である。
【図４】図２のＹ−Ｙ線断面図であって、同図（ａ）は櫛歯が流入阻止位置にある状態、同図（ｂ）は回転途中の状態、同図（ｃ）は櫛歯先端がガイド用孔端面に略一致した状態をそれぞれあらわしている。
【図５】図１のヘアーキャッチャーを洗い場パンに設けられた排水口にセットした状態をあらわす斜視図である。
【図６】図５のＺ−Ｚ線断面図である。
【図７】本発明にかかるヘアーキャッチャーの第２の実施の形態をあらわす斜視図であって、同図（ａ）は櫛歯が流入阻止位置にある状態、同図（ｂ）は回転途中の状態、同図（ｃ）は櫛歯先端がガイド用孔端面に略一致した状態をそれぞれあらわしている。
【図８】本発明にかかるヘアーキャッチャーの第３の実施の形態をあらわす斜視図であって、同図（ａ）は櫛歯が流入阻止位置にある状態、同図（ｂ）は回転途中の状態、同図（ｃ）は櫛歯先端がガイド用孔端面に略一致した状態をそれぞれあらわしている。
【図９】本発明にかかるヘアーキャッチャーの第４の実施の形態をあらわす平面図であって、同図（ａ）は櫛歯が流入阻止位置にある状態、同図（ｂ）は排水流入口を解放した状態をそれぞれあらわしている。
【図１０】本発明にかかるヘアーキャッチャーの第５の実施の形態をあらわす斜視図である。
【図１１】図１０のヘアーキャッチャーの分解斜視図であって、同図（ａ）は本体部材、同図（ｂ）は蓋部材をあらわしている。
【図１２】図１０のヘアーキャッチャーの蓋部材の動きを説明する図であって、同図（ａ）は櫛歯が流入阻止位置にある状態、同図（ｂ）は蓋部材を回転させて毛髪等を櫛歯から取り除く状態をそれぞれあらわす平面図である。
【図１３】本発明にかかるヘアーキャッチャーの第６の実施の形態の蓋部材をあらわす斜視図である。
【符号の説明】
【００６６】
１ａ，１ｂ，１ｃ，１ｄ，１ｅ  ヘアーキャッチャー
２ａ，２ｂ，２ｃ，２ｄ，２ｅ  本体部材
３ａ，３ｂ，３ｃ，３ｄ  櫛状部材
３ｅ、３ｆ  蓋部材
２１，２７ａ，２９ａ，２０ａ  排水流入口
２０ｃ  仕切り部
２０ｇ  櫛歯非形成部
２３，２７ｂ，２８ｅ，２９ｄ，３０ｈ  ガイド用孔
３１，３６ｂ，３７ｂ，３８ｃ，２０ｆ  櫛歯
３３，３６ａ，３７ａ，３８ａ  櫛歯支持部
３８ｂ  枢支軸
３０ａ  扇形回転蓋部
３０ｇ  壁
３０ｉ  ガイド用切欠
Ｃ  中心軸
【図１】
2009052226.tif 000003
【図２】
2009052226.tif 000004
【図３】
2009052226.tif 000005
【図４】
2009052226.tif 000006
【図５】
2009052226.tif 000007
【図６】
2009052226.tif 000008
【図７】
2009052226.tif 000009
【図８】
2009052226.tif 000010
【図９】
2009052226.tif 000011
【図１０】
2009052226.tif 000012
【図１１】
2009052226.tif 000013
【図１２】
2009052226.tif 000014
【図１３】
2009052226.tif 000015